(57)【特許請求の範囲】
【請求項１】
複数の基地局と通信を行う移動局の周辺基地局を検索する方法において、
前記基地局との伝搬損失、伝搬遅延および同時接続数のうち少なくとも１つに基づいて移動局の通信状態から評価値を決定する評価値決定ステップと、
前記評価値と１つまたは２つ以上のあらかじめ定めた閾値とを比較する比較ステップと、
該比較ステップによる比較結果により、周辺基地局を検索する周期の２つ以上の候補値からいずれか１つを決定する検索周期決定ステップと
を備えることを特徴とする周辺基地局を検索する方法。
【請求項２】
請求項１に記載の周辺基地局を検索する方法において、
前記閾値は第１閾値と該第１閾値よりも小さな第２閾値とを含み、
前記候補値は第１候補値と第２候補値と第３候補値とを含み、
前記検索候補値決定ステップは、
前記評価値が前記第１閾値より大きい場合には第１候補値を決定するステップと、
前記評価値が前記第１閾値より小さくかつ前記第２閾値より大きい場合には第２候補値を決定するステップと、
前記評価値が前記第２閾値より小さい場合には第３候補値を決定するステップと
を備えることを特徴とする周辺基地局を検索する方法。
【請求項３】
請求項２に記載の周辺基地局を検索する方法において、
前記第２候補値は、前記第１候補値より小さくかつ前記第３候補値より大きいことを特徴とする周辺基地局を検索する方法。
【請求項４】
請求項２に記載の周辺基地局を検索する方法において、
前記第２候補値は、通常通信中の前記周期であることを特徴とする周辺基地局を検索する方法。
【請求項５】
複数の基地局と通信を行う移動局の周辺基地局を検索する方法において、
前記基地局との伝搬損失、伝搬遅延および同時接続数のうち少なくとも１つに基づいて移動局の通信状態から評価値を決定する評価値決定ステップと、
前記評価値をパラメータに用いる関数により周辺基地局を検索する周期を演算する演算ステップと
を備えることを特徴とする周辺基地局を検索する方法。
【請求項６】
請求項１乃至請求項５のいずれかに記載の周辺基地局を検索する方法において、
前記評価値は、受信電力および受信品質のうち少なくとも１つにさらに基づくことを特徴とする周辺基地局を検索する方法。
【請求項７】
複数の基地局と通信を行う移動局において、
前記基地局との伝搬損失、伝搬遅延および同時接続数のうち少なくとも１つに基づいて移動局の通信状態から評価値を決定する評価値決定ステップと、
前記評価値と１つまたは２つ以上のあらかじめ定めた閾値とを比較する比較手段と、
該比較手段による比較結果により、周辺基地局を検索する周期の２つ以上の候補値からいずれか１つを決定する検索周期決定手段と
を備えたことを特徴とする移動局。
【請求項８】
請求項７に記載の移動局において、
前記閾値は第１閾値と該第１閾値よりも小さな第２閾値とを含み、
前記候補値は第１候補値と第２候補値と第３候補値とを含み、
前記検索候補値決定手段は、
前記評価値が前記第１閾値より大きい場合には第１候補値を決定する手段と、
前記評価値が前記第１閾値より小さくかつ前記第２閾値より大きい場合には第２候補値を決定する手段と、
前記評価値が前記第２閾値より小さい場合には第３候補値を決定する手段と
を備えたことを特徴とする移動局。
【請求項９】
請求項８に記載の移動局において、
前記第２候補値は、前記第１候補値より小さくかつ前記第３候補値より大きいことを特徴とする移動局。
【請求項１０】
請求項８に記載の移動局において、
前記第２候補値は、通常通信中の前記周期であることを特徴とする移動局。
【請求項１１】
複数の基地局と通信を行う移動局の移動局において、
前記基地局との伝搬損失、伝搬遅延および同時接続数のうち少なくとも１つに基づいて移動局の通信状態から評価値を決定する評価値決定ステップと、
前記評価値をパラメータに用いる関数により周辺基地局を検索する周期を演算する演算手段と
を備えたことを特徴とする移動局。
【請求項１２】
請求項７乃至請求項１１のいずれかに記載の移動局において、
前記評価値は、受信電力および受信品質のうち少なくとも１つにさらに基づくことを特徴とする移動局。
【請求項１３】
請求項７乃至請求項１２のいずれかに記載の移動局を含むことを特徴とする移動通信システム。
【発明の詳細な説明】
【０００１】
【発明の属する技術分野】
本発明は、移動局の周辺基地局を検索する方法および移動局に関する。
【０００２】
【従来の技術】
移動通信システムの移動局において周辺基地局の検索処理を実行するタイミングの制御方法は、通信相手からの受信電力が劣化した場合、通信相手との受信品質が劣化した場合、一定周期毎、および通信相手からの検索指示を受信した場合などに限定されている。
【０００３】
以下に、図１乃至図４を参照して、従来の基地局検索処理の実行タイミングの制御方法を説明する。
【０００４】
図１は、受信電力を用いた基地局検索処理の実行タイミングの制御方法を説明するフロー図である。
【０００５】
図１において、移動局は常に通信中の基地局からの受信電力Ｐを測定している（ステップＳ１０４）。移動局内部には、「基地局検索開始受信レベル閾値Ｐａ」があらかじめ設定されており、測定された受信電力Ｐが閾値を下回った場合（ステップＳ１０６）、周辺基地局の検索が開始される（ステップＳ１０８）。
【０００６】
図２は、受信品質を用いた基地局検索処理の実行タイミングの制御方法を説明するフロー図である。
【０００７】
図２において、移動局は常に通信中の基地局からの受信品質Ｑを測定している（ステップＳ２０４）。移動局内部には、「基地局検索開始受信レベル閾値Ｑａ」があらかじめ設定されており、測定された受信品質Ｑが閾値を下回った場合（ステップＳ２０６）、周辺基地局の検索が開始される（ステップＳ２０８）。
【０００８】
図３は、一定周期を用いた基地局検索処理の実行タイミングの制御方法を説明するフロー図である。
【０００９】
図３において、移動局は最後に周辺基地局の検索を行った直後に、基地局検索用のタイマＴを発行する（ステップＳ３０４）。移動局内部には、「基地局検索周期Ｔａ」があらかじめ設定されており、このタイマが移動局内部に設定された「基地局検索周期Ｔａ」まで達した場合（ステップＳ３０６）、周辺基地局の検索が開始され（ステップＳ３０８）、またタイマＴがリセットさせる（ステップＳ３１０）。
【００１０】
図４は、基地局からの検索指示を用いた基地局検索処理の実行タイミングの制御方法を説明するフロー図である。
【００１１】
図４において、移動局は常に通信中の基地局からの検索指示を監視している（ステップＳ４０２）。移動局は基地局装置からの周辺検索開始を促す検索指示を受信した場合（ステップＳ４０４）、周辺基地局の検索が開始される（ステップＳ４０６）。
【００１２】
【発明が解決しようとする課題】
上述した実行タイミングのすべてにおいて基地局検索を実行した際には、移動局は受信電力、受信品質が良好かつ、通信相手からの検索指示を受信しない場合、常に一定間隔で検索を行ってしまうことになり、あまり重要ではない検索によってバッテリーの電力を消費してしまうという問題点がある。
【００１３】
本発明の目的は、上記問題点に鑑み、より効率的な検索を行え、不要な検索によりバッテリーの消費を低減することができる移動局の周辺基地局を検索する方法および移動局を提供することにある。
【００１４】
【課題を解決するための手段】
請求項１に記載の発明は、複数の基地局と通信を行う移動局の周辺基地局を検索する方法において、前記基地局との伝搬損失、伝搬遅延および同時接続数のうち少なくとも１つに基づいて移動局の通信状態から評価値を決定する評価値決定ステップと、前記評価値と１つまたは２つ以上のあらかじめ定めた閾値とを比較する比較ステップと、該比較ステップによる比較結果により、周辺基地局を検索する周期の２つ以上の候補値からいずれか１つを決定する検索周期決定ステップとを備えることを特徴とする。
【００１５】
請求項２に記載の発明は、請求項１に記載の周辺基地局を検索する方法において、前記閾値は第１閾値と該第１閾値よりも小さな第２閾値とを含み、前記候補値は第１候補値と第２候補値と第３候補値とを含み、前記検索候補値決定ステップは、前記評価値が前記第１閾値より大きい場合には第１候補値を決定するステップと、前記評価値が前記第１閾値より小さくかつ前記第２閾値より大きい場合には第２候補値を決定するステップと、前記評価値が前記第２閾値より小さい場合には第３候補値を決定するステップとを備えることを特徴とする。
【００１６】
請求項３に記載の発明は、請求項２に記載の周辺基地局を検索する方法において、前記第２候補値は、前記第１候補値より小さくかつ前記第３候補値より大きいことを特徴とする。
【００１７】
請求項４に記載の発明は、請求項２に記載の周辺基地局を検索する方法において、前記第２候補値は、通常通信中の前記周期であることを特徴とする。
【００１８】
請求項５に記載の発明は、複数の基地局と通信を行う移動局の周辺基地局を検索する方法において、前記基地局との伝搬損失、伝搬遅延および同時接続数のうち少なくとも１つに基づいて移動局の通信状態から評価値を決定する評価値決定ステップと、前記評価値をパラメータに用いる関数により周辺基地局を検索する周期を演算する演算ステップとを備えることを特徴とする。
【００１９】
請求項６に記載の発明は、請求項１乃至請求項５のいずれかに記載の周辺基地局を検索する方法において、前記評価値は、受信電力および受信品質のうち少なくとも１つにさらに基づくことを特徴とする。
【００２０】
請求項７に記載の発明は、複数の基地局と通信を行う移動局において、前記基地局との伝搬損失、伝搬遅延および同時接続数のうち少なくとも１つに基づいて移動局の通信状態から評価値を決定する評価値決定ステップと、前記評価値と１つまたは２つ以上のあらかじめ定めた閾値とを比較する比較手段と、該比較手段による比較結果により、周辺基地局を検索する周期の２つ以上の候補値からいずれか１つを決定する検索周期決定手段とを備えたことを特徴とする。
【００２１】
請求項８に記載の発明は、請求項７に記載の移動局において、前記閾値は第１閾値と該第１閾値よりも小さな第２閾値とを含み、前記候補値は第１候補値と第２候補値と第３候補値とを含み、前記検索候補値決定手段は、前記評価値が前記第１閾値より大きい場合には第１候補値を決定する手段と、前記評価値が前記第１閾値より小さくかつ前記第２閾値より大きい場合には第２候補値を決定する手段と、前記評価値が前記第２閾値より小さい場合には第３候補値を決定する手段とを備えたことを特徴とする。
【００２２】
請求項９に記載の発明は、請求項８に記載の移動局において、前記第２候補値は、前記第１候補値より小さくかつ前記第３候補値より大きいことを特徴とする。
【００２３】
請求項１０に記載の発明は、請求項８に記載の移動局において、前記第２候補値は、通常通信中の前記周期であることを特徴とする。
【００２４】
請求項１１に記載の発明は、複数の基地局と通信を行う移動局の移動局において、前記基地局との伝搬損失、伝搬遅延および同時接続数のうち少なくとも１つに基づいて移動局の通信状態から評価値を決定する評価値決定ステップと、前記評価値をパラメータに用いる関数により周辺基地局を検索する周期を演算する演算手段とを備えたことを特徴とする。
【００２５】
請求項１２に記載の発明は、請求項７乃至請求項１１のいずれかに記載の移動局において、前記評価値は、受信電力および受信品質のうち少なくとも１つにさらに基づくことを特徴とする。
【００２６】
請求項１３に記載の発明は、移動通信システムにおいて、請求項７乃至請求項１２のいずれかに記載の移動局を含むことを特徴とする。
【００２７】
本発明は、移動局において、周辺基地局の定時検索周期を移動局の通信状態（受信電力、受信品質、同時接続局数、伝搬遅延、伝搬損失）によって可変にすることにより、受信装置の消費電力の低減を可能にするものである。このように構成することにより、無線通信を良好に継続するために十分な状態にある場合は、移動局は周辺情報の検索周期を長期化し消費電力の低減を図り、無線通信を維持するための条件が不十分、もしくは現状は安定でも近い将来に不十分な状態になりうる状況が予想できる場合は、移動局は周辺情報の検索周期を短期化し速やかに周辺情報の更新を行うことができる。
【００２８】
【発明の実施の形態】
以下、図面を参照しながら、本発明の実施形態について詳細に説明する。
【００２９】
図５は、本発明が適用される移動局の構成の一例を示す図であり、移動局の構成のうち本発明に関係する部分のみを概念的に示している。
【００３０】
移動局は、少なくとも制御部５０２と無線部５０４とから構成されている。
【００３１】
制御部５０２は、無線部５０４の制御を司る機能を有し、例えば、タイマ制御部５０６と検索周期決定部５０８とから構成されている。無線部５０４は、基地局との通信等の機能を有し、例えば、周辺基地局検索実行部５１０と評価値受信・測定部５１２とから構成される。
【００３２】
タイマ制御部５０６は、検索周期決定部５０８および周辺基地局検索実行部５１０に接続され、タイマ駆動等を制御する。
【００３３】
検索周期決定部５０８は、評価値受信・測定部５１２およびタイマ制御部５０６に接続され、基地局検索周期Ｔを決定する機能を有する。
【００３４】
周辺基地局検索実行部５１０は、タイマ制御部５０６に接続され、周辺基地局の検索を実行する機能を有する。
【００３５】
評価値受信・測定部５１２は、検索周期決定部５０８に接続され、例えば、受信電力Ｐ、受信品質Ｑ、伝搬損失Ｌ、伝搬遅延Ｄ等の基地局検索周期Ｔを決定するために用いる評価値を受信または測定する機能を有する。
【００３６】
次に、このように構成された本実施の形態における移動局の動作について、図６および図７を参照して説明する。
【００３７】
図６は、本実施の形態における基地局検索処理の実行タイミングの制御方法の一例を説明するフロー図である。本実施形態においては、３つの基地局検索周期候補値、すなわちＴｓｈｏｒｔ、ＴｎｏｒｍおよびＴｌｏｎｇを用いる。ここで、Ｔｎｏｒｍは通常時の検索周期であり、ＴｓｈｏｒｔはＴｎｏｒｍより短い周期を、ＴｌｏｎｇはＴｎｏｒｍより長い周期を示す。
【００３８】
評価値受信・測定部５１２は常に通信中の基地局からの評価値Ｅを受信または測定している（ステップＳ６０４）。評価値Ｅは、例えば、受信電力Ｐ、受信品質Ｑ、伝搬損失Ｌ、および伝搬遅延Ｄのいずれかのうちの少なくとも１つである。評価値受信・測定部５１２は、受信電力Ｐまたは受信品質を基地局との受信チャネルを測定して求める。また、評価値受信・測定部５１２は、伝搬損失Ｌを、基地局が通信チャネルを介して通知する基地局の送信電力から評価値受信・測定部５１２において測定した受信電力を減算することにより求める。また、評価値受信・測定部５１２は、伝搬遅延を、基地局が通信チャネルを介して通知する伝搬遅延を受信することにより求める。
【００３９】
次に、評価値受信・測定部５１２において得られた評価値Ｅは、検索周期決定部５０８に通知されて、あらかじめ定められている検索周期短縮用の評価値の閾値Ｅｌｏｗと比較される（ステップＳ６０６）。
【００４０】
測定された評価値Ｅが閾値Ｅｌｏｗより小さい場合は、無線通信を維持するための条件が不十分、もしくは現状は安定でも近い将来に不十分な状態になりうる状況が想定されるため、基地局検索周期Ｔをより短い間隔Ｔｓｈｏｒｔに変更し（ステップＳ６０８）、タイマ制御部５０６においてタイマを発行した後、通信を行う（ステップＳ６０２）ことにより、周辺基地局検索実行部５１０において周辺基地局検索をより短い間隔で行える様にする。
【００４１】
ステップＳ６０６において、評価値Ｅが閾値Ｅｌｏｗより大きい場合は、評価値受信・測定部５１２において得られた評価値Ｅは、あらかじめ設定されている検索周期延長用の評価値の閾値Ｅｈｉｇｈと比較される（ステップＳ６１０）。測定された評価値Ｅが閾値Ｅｈｉｇｈより大きい場合は、無線通信を良好に継続するために十分な状態にあると想定されるため、基地局検索周期Ｔをより長い間隔Ｔｌｏｎｇに変更し（ステップＳ６１２）、タイマ制御部５０６においてタイマを発行した後、通信を行う（ステップＳ６０２）ことにより、バッテリーの消耗を防ぐ。
【００４２】
ステップＳ６１０において、評価値Ｅが閾値Ｅｈｉｇｈより小さい場合は、移動局に平均的なレベルで受信されていることが想定されるため、基地局検索周期Ｔを通常の間隔Ｔｎｏｒｍに変更し（ステップＳ６１４）、タイマ制御部５０６においてタイマを発行した後、通信を行う（ステップＳ６０２）ことにより、評価値受信・測定部５１２において通常の周辺基地局検索を行う。
【００４３】
基地局検索周期Ｔの値は、基地局検索周期候補値Ｔｓｈｏｒｔ、ＴｎｏｒｍおよびＴｌｏｎｇ等の離散的な値だけではなく、図７に示すように評価値Ｅをパラメータとした関数による連続的な検索周期増減値を定義することで、基地局検索周期Ｔを連続値とすることも可能である。
【００４４】
図７は、評価値Ｅをパラメータとした関数を用いる基地局検索処理の実行タイミングの制御方法の一例を説明するフロー図である。
評価値受信・測定部５１２は常に通信中の基地局からの評価値Ｅを受信または測定している（ステップＳ７０４）。
【００４５】
次に、評価値受信・測定部５１２において得られた評価値Ｅは検索周期決定部５０８に通知されて、基地局検索周期Ｔを通常の間隔Ｔｎｏｒｍに、評価値Ｅをパラメータとした関数ΔＴ（Ｅ）により演算された検索周期の増減値を加算することにより求める（ステップＳ７０６）。
【００４６】
次に、ステップＳ７０６において求めた基地局検索周期Ｔを用いて、タイマ制御部５０６においてタイマを発行した後、通信を行う（ステップＳ７０２）ことにより、周辺基地局検索実行部５１０において基地局検索周期Ｔを連続値として周辺基地局検索を行える様になり、より詳細な制御が可能になる。
【００４７】
（他の実施の形態）
上述した実施の形態においては、２つの閾値、すなわちＥｌｏｗおよびＥｈｉｇｈと、３つの基地局検索周期候補値、すなわちＴｓｈｏｒｔ、ＴｎｏｒｍおよびＴｈｉｇｈとを用いる場合を一例に説明したが、本発明はこの場合に限定されるものではなく、１つまたは２つ以上の閾値と、２つ以上の基地局検索周期候補値を用いたものであれば、いずれの場合においても実施することが出来ることは当業者にとって自明である。
【００４８】
【発明の効果】
以上説明したように、本発明によれば、前記基地局との通信状態から評価値を決定する評価値決定ステップと、前記評価値と１つまたは２つ以上のあらかじめ定めた閾値とを比較する比較ステップと、該比較ステップによる比較結果により、周辺基地局を検索する周期の２つ以上の候補値からいずれか１つを決定する検索周期決定ステップとを備えるので、携帯電話のような無線を利用した移動通信装置において、不要な基地局検索処理による消費電力の増加を抑えることができ、効率的な基地局検索を行うことができる。
【００４９】
また、本発明によれば、基地局との通信状態から評価値を決定する評価値決定ステップと、評価値をパラメータに用いる関数により周辺基地局を検索する周期を演算する演算ステップとを備えるので、閾値を用いる場合に比べて連続的に周期が増減可能となり、より効率的な基地局検索を行うことができる。
【００５０】
さらに、本発明によれば、移動局は、前記基地局との通信状態から評価値を決定する評価値決定手段と、前記評価値と１つまたは２つ以上のあらかじめ定めた閾値とを比較する比較手段と、該比較手段による比較結果により、周辺基地局を検索する周期の２つ以上の候補値からいずれか１つを決定する検索周期決定手段とを備えるので、携帯電話のような無線を利用した移動通信装置において、不要な基地局検索処理による消費電力の増加を抑えることができ、効率的な基地局検索を行うことができる。
【００５１】
また、本発明によれば、移動局は、基地局との通信状態から評価値を決定する評価値決定手段と、評価値をパラメータに用いる関数により周辺基地局を検索する周期を演算する演算手段とを備えるので、閾値を用いる場合に比べて連続的に周期が増減可能となり、より効率的な基地局検索を行うことができる。
【図面の簡単な説明】
【図１】受信電力を用いた基地局検索処理の実行タイミングの制御方法を説明するフロー図である。
【図２】受信品質を用いた基地局検索処理の実行タイミングの制御方法を説明するフロー図である。
【図３】一定周期を用いた基地局検索処理の実行タイミングの制御方法を説明するフロー図である。
【図４】基地局からの検索指示を用いた基地局検索処理の実行タイミングの制御方法を説明するフロー図である。
【図５】本発明が適用される移動局の構成の一例を示す図である。
【図６】本実施の形態における基地局検索処理の実行タイミングの制御方法の一例を説明するフロー図である。
【図７】評価値Ｅをパラメータとした関数を用いる基地局検索処理の実行タイミングの制御方法の一例を説明するフロー図である。
【符号の説明】
５００    移動局
５０２    制御部
５０４    無線部
５０６    タイマ制御部
５０８    検索周期決定部
５１０    周辺基地局検索実行部
５１２    評価値受信・測定部
【図１】
0003597422.tif 000002
【図２】
0003597422.tif 000003
【図３】
0003597422.tif 000004
【図４】
0003597422.tif 000005
【図５】
0003597422.tif 000006
【図６】
0003597422.tif 000007
【図７】
0003597422.tif 000008